(57)【要約】【課題】外的刺激を自ら供給することでマイナスイオンを発生させて生体を活性化させ、かつ、動的変化を付加して置物としての意匠性を高めたトルマリンを有する置物を提供すること。【解決手段】容器１０と、その容器１０に設けられたトルマリン含有物３０とを備えているトルマリンを有する置物１において、容器１０内に設置され、トルマリン含有物３０に含まれるトルマリン３１に対して水滴を噴霧する噴霧手段２０を備えていることを特徴とする。【選択図】    図２
2004268453.tif 000002
【特許請求の範囲】
【請求項１】
容器と、該容器に設けられたトルマリン含有物とを備えているトルマリンを有する置物において、
前記容器内に設置され、前記トルマリン含有物に含まれるトルマリンに対して水滴を噴霧する噴霧手段を備えていることを特徴とするトルマリンを有する置物。
【請求項２】
請求項１記載のトルマリンを有する置物において、
前記トルマリン含有物が前記噴霧手段の上側に、前記容器に着脱可能に設置されていることを特徴とするトルマリンを有する置物。
【請求項３】
請求項１または２記載のトルマリンを有する置物において、
前記噴霧手段が、注水された前記容器内に浸水あるいは水没していることを特徴とするトルマリンを有する置物。
【請求項４】
請求項３記載のトルマリンを有する置物において、
前記噴霧手段が、超音波振動子を備えた噴霧器であることを特徴とするトルマリンを有する置物。
【請求項５】
請求項１から４のいずれかに記載のトルマリンを有する置物において、
前記トルマリンが黒トルマリンであることを特徴とするトルマリンを有する置物。
【発明の詳細な説明】
【０００１】
【発明の属する技術分野】
この発明は、鉱石の一つであるトルマリンを有し、そのトルマリンの特性を活用した置物に関する。
【０００２】
【従来の技術】
一般に、トルマリンは鉱石の一つであり、地球上にある鉱物の中で唯一自然の状態で永久的に電子を流し続けている電気石として知られている。そのトルマリンに対して圧力、熱あるいは水等の外的刺激を与えると、マイナスイオンが発生する。
マイナスイオンが発生して大気中に拡散されると、生体内に存在しその生体に悪影響を与えているプラスイオンがマイナスイオンによって電気的に中立化されるため、マイナスイオンが拡散された空間において生体が活性化される。
最近ではこのトルマリンの特性を有効に活用するために、トルマリンを環境素材あるいは健康素材として用いた物あるいは装置が種々の分野で採用されており、例えば置物として利用されている。
【０００３】
従来のトルマリンを有する置物としては、例えば、トルマリン原石で構成されたトルマリン本体と、トルマリン本体が接着部材で固着された収容台とを備え、トルマリン原石に対して水を与える等の刺激を与えることによってマイナスイオンを周囲の空気に発生させて、酸化した物質を還元させる効果を有し、かつ置物として意匠性を高める効果を有しているものがある（特許文献１参照）。
【０００４】
【特許文献１】
登録実用新案第３０８４５７３号公報（第５−６頁、図１）
【０００５】
【発明が解決しようとする課題】
上記従来のトルマリンを有する置物においては、トルマリンに対して圧力、熱あるいは水等の外的刺激を与える装置が設けられていないため、例えば置物を叩くあるいは水槽内に没入させる等、別途外的刺激を意図的に与えなければマイナスイオンを発生させることができず、そのマイナスイオンの発生によって生体が活性化するという効果が得られないという問題があった。
また、従来のトルマリンを有する置物には動的変化がなく、単に机上等に置かれる置物としての意匠性を有するに過ぎないものであった。
【０００６】
この発明は、このような事情を考慮してなされたもので、外的刺激を自ら供給することでマイナスイオンを発生させて生体を活性化させ、かつ、動的変化を付加して置物としての意匠性を高めたトルマリンを有する置物を提供することを目的とする。
【０００７】
【課題を解決するための手段】
この発明は、上記課題を解決するため、以下の手段を採用する。
請求項１に係る発明は、容器と、該容器に設けられたトルマリン含有物とを備えているトルマリンを有する置物において、前記容器内に設置され、前記トルマリン含有物に含まれるトルマリンに対して水滴を噴霧する噴霧手段を備えていることを特徴とする。
【０００８】
この発明によれば、容器内に設置された噴霧手段からトルマリン含有物に含まれるトルマリンに対して水滴を噴霧することによって、トルマリンがその水滴に反応して水分子を水素イオンと水酸イオンとに電気分解する。このとき水素イオンが電子と結合して水素ガスとして大気中に放出されるとともに、水酸イオンが周囲の水分子と結合してヒドロキシルイオンという界面活性物質であるマイナスイオンとなって大気中に放出される。
このマイナスイオンは、トルマリンを有する置物の容器内に設置されている噴霧手段からトルマリンに対して水滴を噴霧することによってその水滴に反応して発生するものである。したがって、従来のトルマリンを有する置物のように、トルマリンを有する置物とは別の外的手段を必要としない。
【０００９】
また、噴霧手段から噴霧される水滴が大気中に拡散されることによって、その水滴はトルマリンを有する置物の周囲を霧状に覆いながら流動的に変化する。したがって、トルマリンを有する置物は、このトルマリンを有する置物の周囲を霧状に覆う水滴の流動的変化を付加することで、そのトルマリンを有する置物の意匠性が高められている。
【００１０】
請求項２に係る発明は、請求項１記載のトルマリンを有する置物において、前記トルマリン含有物が前記噴霧手段の上側に、前記容器に着脱可能に設置されていることを特徴とする。
【００１１】
この発明によれば、トルマリン含有物が噴霧手段の上側に、容器に着脱可能に設置されていることにより、噴霧手段を容器内に設置する際、トルマリン含有物を容器から取り外して噴霧手段を容器内に容易に設置することが可能となる。これは、噴霧手段を容器内から取り出す場合も同様である。
また、噴霧手段が容器内に設置され、その上側にトルマリン含有物が設置されていることにより、噴霧手段がトルマリン含有物で視覚的に遮断されるため、噴霧手段が外部から視認されることによる意匠性の低下を回避して、トルマリンを有する置物の意匠性が保持されることとなる。
さらに、トルマリン含有物が容器から着脱可能であることにより、トルマリン含有物を別のトルマリン含有物に取換え可能となるため、様々なトルマリン含有物の中から使用者の趣向に合わせたトルマリン含有物を選択して取り付けることが可能となる。
【００１２】
請求項３に係る発明は、請求項１または２記載のトルマリンを有する置物において、前記噴霧手段が、注水された前記容器内に浸水あるいは水没していることを特徴とする。
【００１３】
この発明によれば、容器内に注水してその容器内に設置された噴霧手段を容器内で浸水あるいは水没させた後、噴霧手段を作動させると、その直後に噴霧手段によってトルマリン含有物に含まれるトルマリンに対して水滴が噴霧され、トルマリンがその水滴に反応してマイナスイオンを発生させることとなる。
すなわち、容器内に注水して噴霧手段を作動させるだけの容易な作業を行うことで、マイナスイオンが噴霧手段を作動させてから短時間で発生する。
【００１４】
請求項４に係る発明は、請求項３記載のトルマリンを有する置物において、前記噴霧手段が、超音波振動子を備えた噴霧器であることを特徴とする。
【００１５】
この発明によれば、容器内に設置されて浸水あるいは水没した噴霧手段が超音波振動子を備えた噴霧器であることにより、その噴霧器は、超音波振動子による超音波振動によって、容器内の水の表面に噴水状の水柱を形成し、その先端部から水滴を微細に霧化して霧状の水滴を噴霧する。トルマリン含有物に含まれるトルマリンに対してその水滴を噴霧することによって、トルマリンがその水滴に反応して、水滴の水分子を水素イオンと水酸イオンとに電気分解する。このとき水素イオンが電子と結合して水素ガスとして大気中に放出されるとともに、水酸イオンが周囲の水分子と結合してヒドロキシルイオンという界面活性物質であるマイナスイオンとなって大気中に放出される。
【００１６】
また、超音波振動子による超音波振動によってトルマリンに対して直接振動が与えられることによって、トルマリンがその振動に反応して、周囲の空気に含まれる水分子を水素イオンと水酸イオンとに電気分解する。このとき水素イオンが電子と結合して水素ガスとして大気中に放出されるとともに、水酸イオンが周囲の水分子と結合してヒドロキシルイオンという界面活性物質であるマイナスイオンとなって大気中に放出される。
ここで、噴霧器によって噴霧された水滴が超音波振動子による超音波振動によって非常に小さい粒径に微細化され、粒子数が増大されて噴霧された水滴および周囲の空気に含まれる水分子が水素イオンと水酸イオンとに電気分解されるため、より多くのマイナスイオンが発生することとなる。
【００１７】
また、噴霧器を作動すると、噴霧器によって噴霧された水滴は、超音波振動子による超音波振動によって非常に小さい粒径とされ、微細化して大気中に拡散するため、トルマリンを有する置物の周囲を微細な霧状に覆いながら流動的に変化する。したがって、トルマリンを有する置物は、このトルマリンを有する置物の周囲を微細の霧状に覆う水滴の流動的変化を付加することで、そのトルマリンを有する置物の意匠性が高められている。
【００１８】
請求項５に係る発明は、請求項１から４のいずれかに記載のトルマリンを有する置物において、前記トルマリンが黒トルマリンであることを特徴とする。
【００１９】
この発明によれば、黒トルマリンは、一般のトルマリンと比較して電位が強いため、外的な刺激に反応して水分子を水素イオンと水酸イオンとに電気分解しやすい性質を有する。したがって、水素イオンが電子と結合して水素ガスとして大気中に放出されるとともに、水酸イオンが周囲の水分子と結合してヒドロキシルイオンという界面活性物質であるマイナスイオンとなって大気中に放出されやすくなる。
【００２０】
【発明の実施の形態】
以下、この発明の実施の形態について、図面を参照して説明する。
図１は、この発明における実施の形態を示す図であって、この発明を適用したトルマリンを有する置物の斜視図である。また、図２は、この発明を適用したトルマリンを有する置物を説明する図である。
【００２１】
トルマリンを有する置物１は、台座Ｂに設置された容器１０と、容器１０の内部に設置された噴霧手段としての噴霧器２０と、容器１０に設置された噴霧器２０を跨ぐように容器１０に設置されたトルマリン含有物３０とを備えている。
容器１０は、噴霧器２０が水没するようにその内部に水Ｗが注入されている。
噴霧器２０の内部には、図示しない電源を入れることによって超音波を発振させ、外部に超音波振動を伝達させる超音波振動子２１が設けられている。
【００２２】
トルマリン含有物３０は、トルマリン３１と、アメジスト３２と、水晶３３とを備えている。このトルマリン含有物３０は、その内部に空間を有するように複数のアメジスト３２を積み重ねて接着させることによって形成され、その内部には複数、例えばその上部に１個、下部に２個のトルマリン３１がアメジスト３２に接着されて配置され、また、その外部には複数の水晶３３が装飾品として適当な位置に、アメジスト３２に接着されて配置されている。
トルマリン３１は、噴霧器２０から発振される超音波振動を受けやすい位置、あるいは容器１０に注入された水Ｗ付近に配置され、その材質が例えば黒トルマリンとされている。
【００２３】
上記の構成からなるトルマリンを有する置物１を用いてマイナスイオンを大気中に拡散させる場合には、電源を入れて噴霧器２０を作動させて超音波振動とともに水滴を噴霧させ、それらをトルマリン３１に反応させることによってマイナスイオンを発生させる。
【００２４】
すなわち、例えば机上等に置かれた台座Ｂ上に容器１０を設置した後、容器１０内に噴霧器２０に設置し、その噴霧器２０を覆うようにトルマリン含有物３０を設置する。そして、容器１０内に設置された噴霧器２０を水没させるまで水Ｗを注入する。
その後、電源を入れて噴霧器２０を作動させると、噴霧器２０に設けられた超音波振動子２１から超音波振動が発振される。この噴霧器２０の超音波振動によって容器１０内の水Ｗの表面には噴水状の水柱が形成され、その先端部から水が微細に霧化して霧状の水滴が噴霧される。この霧状の水滴は、大気中に噴霧されて噴霧器２０およびトルマリン含有物３０の下部を覆うように拡散する。
【００２５】
この霧状の水滴がトルマリン含有物３０に設けられたトルマリン３１に接触すると、トルマリン３１がその霧状の水滴に反応して、水滴の水分子を水素イオンと水酸イオンとに電気分解する。このとき水素イオンが電子と結合して水素ガスとして大気中に放出されるとともに、水酸イオンが周囲の水分子と結合してヒドロキシルイオンという界面活性物質であるマイナスイオンとなって大気中に放出される。
【００２６】
また、噴霧器２０に設けられた超音波振動子２１から超音波振動が発振されると、この超音波振動がトルマリン３１に伝達され、トルマリン３１がその振動に反応して、周囲の空気に含まれる水分子を水素イオンと水酸イオンとに電気分解する。このときも同様に、水酸イオンがマイナスイオンとなって大気中に放出される。
【００２７】
この場合、トルマリンを有する置物１の容器１０内に設置されている噴霧器２０から、トルマリン含有物３０に含まれるトルマリン３１に対して水滴を噴霧することによってその水滴に反応してマイナスイオンが発生するため、従来のトルマリンを有する置物のように、トルマリンを有する置物とは別にトルマリンを反応させるための外的手段を設ける必要がない。
【００２８】
また、噴霧器２０によって噴霧された水滴が超音波振動子２１による超音波振動によって非常に小さい粒径に微細化され、粒子数が増大されてマイナスイオンが発生するため、マイナスイオンの発生量が多くなる。
さらに、容器１０内に注水した後、電源を入れて噴霧器２０を作動させるだけでマイナスイオンが発生するため、その作業が容易であり、かつ、その作業を短時間で行うことができる。
【００２９】
また、噴霧器２０を作動すると、噴霧器２０によって噴霧された水滴は、超音波振動子２１による超音波振動によって非常に小さい粒径とされ、微細化して大気中に拡散するため、トルマリンを有する置物１の周囲を微細な霧状に覆いながら流動的に変化する。したがって、トルマリンを有する置物１は、このトルマリンを有する置物１の周囲を微細の霧状に覆う水滴の流動的変化を付加することで、そのトルマリンを有する置物１の意匠性が高められている。
【００３０】
また、トルマリン含有物３０が噴霧器２０の上側に、容器１０に着脱可能に設置されていることにより、トルマリン含有物３１を容器１０から取り外して噴霧器２０を容器１０内に設置し、その後トルマリン含有物３０を設置するという作業を容易に行うことが可能である。この作業は、噴霧器２０を容器１０内から取り出す作業も同様に、容易に行うことが可能である。
【００３１】
また、噴霧器２０が容器１０内に設置され、その上側にトルマリン含有物３０が設置されていることにより、噴霧器２０がトルマリン含有物３０で視覚的に遮断されるため、噴霧器２０が外部から視認されることによる意匠性の低下を回避して、トルマリンを有する置物１の意匠性が保持されることとなる。
【００３２】
さらに、トルマリン含有物３０が容器から着脱可能であることにより、トルマリン含有物３０を別のトルマリン含有物に取換え可能となるため、例えば形状の異なるトルマリン含有物あるいは色彩の異なるトルマリン含有物等、様々なトルマリン含有物の中から使用者の趣向に合わせてトルマリン含有物を選択し、容器１０に取り付けることが可能となる。
【００３３】
黒トルマリンは、一般のトルマリンと比較して電位が強いため、外的な刺激に反応して水分子を水素イオンと水酸イオンとに電気分解しやすい性質を有する。したがって、水素イオンが電子と結合して水素ガスとして大気中に放出されるとともに、水酸イオンが周囲の水分子と結合してヒドロキシルイオンという界面活性物質であるマイナスイオンとなって大気中に放出されやすくなる。
【００３４】
上記の構成によれば、トルマリンを有する置物１とは別に、トルマリン含有物３０に設けられたトルマリン３１を反応させるための外的手段を設ける必要がないので、トルマリンを有する置物１が自らトルマリン含有物３０に外的刺激を供給してマイナスイオンを発生させることによって、生体を活性化させることができる。
【００３５】
また、噴霧器２０に設けられた超音波振動子２１による超音波振動によって、容器１０内の水Ｗを微細化して大気中に拡散し、トルマリンを有する置物１の周囲を微細な霧状に覆いながら流動的に変化するので、微細の霧状に覆う水滴の流動的変化を付加することによるトルマリンを有する置物１の意匠性を高めることができる。
さらに、これらの効果は、トルマリン３１を電位の強い黒トルマリンとすることにより顕著となる。
【００３６】
なお、上記の実施の形態において、容器１０は、台座Ｂに設置されるものに限らず、そのまま載置されるものでよい。また、容器１０は、その容器１０内に噴霧器２０が設置され、噴霧器２０を覆うようにトルマリン含有物３０が設置され、容器１０内に注水可能であれば、その形状を限定しない。
【００３７】
また、噴霧器２０は、噴霧手段としての機能を有し、容器１０内の水Ｗを噴霧させてその水滴を大気中に拡散させてトルマリン３１に反応させることが可能で、かつ噴霧された水滴が流動的に変化してトルマリンを有する置物１の意匠性を高めるものであれば、超音波振動子２１を設けたものに限らない。このとき、その噴霧手段に対して容器１０内の水Ｗを必要とするが、その噴霧手段は必ずしも水没している必要はなく、噴霧手段としての機能が維持されていれば、その一部が浸水していても問題ない。
【００３８】
また、トルマリン３０に設けられたトルマリン３１は、黒トルマリンに限らないことは言うまでもない。また、トルマリン３１は、噴霧器２０から噴霧された水滴、あるいは、噴霧器２０が超音波振動子２１を備えていればその超音波振動子２１から発振された超音波振動に反応できるのであれば、その個数あるいはその配置場所を限定しない。
【００３９】
また、トルマリン含有物３０に設けられたアメジスト３２および水晶３３は、本発明においては単なる装飾品あるため、トルマリンを有する置物１自体の意匠性を有していれば、別の装飾品に置き換えあるいは削除してもよい。例えば、トルマリン含有物３０は、トルマリン３１を備えた鋼構造物でも、トルマリンを有する置物１自体の意匠性を有していれば、本発明によって得られる効果を変えるものではない。
【００４０】
【発明の効果】
以上説明したこの発明のトルマリンを有する置物においては、以下の効果を奏する。
請求項１に係る発明によれば、トルマリンを有する置物の容器内に設置されている噴霧手段からトルマリンに対して水滴を噴霧することによってその水滴に反応して発生するものであって、従来のトルマリンを有する置物のように、トルマリンを有する置物とは別の外的手段を必要としないので、外的刺激を自ら供給することでマイナスイオンを発生させて生体を活性化させることができる。
また、噴霧手段から噴霧される水滴が大気中に拡散されることによって、その水滴がトルマリンを有する置物の周囲を霧状に覆いながら流動的に変化するので、トルマリンを有する置物の意匠性に動的変化を付加してその意匠性を高めることができる。
【００４１】
請求項２に係る発明によれば、トルマリン含有物が噴霧手段の上側に、容器に着脱可能に設置されていることにより、噴霧手段を容器内に設置する際、トルマリン含有物を容器から取り外して噴霧手段を容器内に容易に取り付けあるいは取り外しすることができ、また、噴霧手段が容器内に設置され、その上側にトルマリン含有物が設置されていることにより、噴霧手段がトルマリン含有物で視覚的に遮断されるため、噴霧手段が外部から視認されることによる意匠性の低下を回避して、トルマリンを有する置物の意匠性が保持されることとなるので、トルマリンを有する置物の意匠性を高めることができる。
さらに、トルマリン含有物が容器から着脱可能であることにより、トルマリン含有物を別のトルマリン含有物に取換え可能となるため、様々なトルマリン含有物の中から使用者の趣向に合わせたトルマリン含有物を選択して取り付けることが可能となることも意匠性を高める効果が得られる。
【００４２】
請求項３に係る発明によれば、容器内に注水してその容器内に設置された噴霧手段を容器内で浸水あるいは水没させた後、噴霧手段を作動させると、その直後に噴霧手段によってトルマリン含有物に含まれるトルマリンに対して水滴が噴霧され、トルマリンがその水滴に反応してマイナスイオンを発生させることとなるので、容易にかつ短時間で、外的刺激を自ら供給してマイナスイオンを発生させて生体を活性化させることができる。
【００４３】
請求項４に係る発明によれば、容器内に設置されて浸水あるいは水没した噴霧手段が超音波振動子を備えた噴霧器であることにより、その噴霧器は、超音波振動子による超音波振動によって、容器内の水の表面に噴水状の水柱を形成し、その先端部から水滴を微細に霧化して霧状の水滴を噴霧し、かつ超音波振動子による超音波振動によってトルマリンに対して直接振動が与えられることによって、トルマリンがその振動に反応するので、外的刺激を自ら供給してマイナスイオンを発生させて生体を活性化させることができる。
また、噴霧器を作動すると、噴霧器によって噴霧された水滴は、超音波振動子による超音波振動によって非常に小さい粒径とされ、微細化して大気中に拡散するため、トルマリンを有する置物の周囲を微細な霧状に覆いながら流動的に変化するので、トルマリンを有する置物の意匠性に動的変化を付加して意匠性を高めることができる。
【００４４】
請求項５に係る発明によれば、黒トルマリンは、一般のトルマリンと比較して電位が強いため、外的な刺激に反応して水分子を水素イオンと水酸イオンとに電気分解しやすい性質を有するので、外的刺激を自ら供給しやすくしてマイナスイオンを発生させて生体を活性化させることができる。
【図面の簡単な説明】
【図１】この発明における実施の形態に係るトルマリンを有する置物の斜視図である。
【図２】この発明における実施の形態に係るトルマリンを有する置物を簡略に説明するための断面図である。
【符号の説明】
１  トルマリンを有する置物
１０  容器
２０  噴霧器（噴霧手段）
２１  超音波振動子
３０  トルマリン含有物
３１  トルマリン
３２  アメジスト
３３  水晶
Ｂ  台座
Ｗ  水
【図１】
2004268453.tif 000003
【図２】
2004268453.tif 000004